(57)【要約】【課題】原稿先端の衝撃を低減し、安定した原稿搬送を行ないつつ、装置の大型化を防止する。【解決手段】移動する原稿ｄの画像を読み取る読取部４２２と、この読取部４２２の上流側に配置されて原稿ｄを搬送する読取前搬送ローラ４２１と、読取部４２２の下流側に配置されて読み取りの終了した原稿ｄを搬送する読取後搬送ローラ４２４とを備える原稿搬送装置において、読取部４２２の下流側に原稿ｄを案内して読取後搬送ローラ４２４に導く搬送ガイド８６０を配置し、この搬送ガイド８６０は、原稿先端ｄ１を案内する複数の異なる傾斜角度のガイド面８６０ａ，８６０ｂを有し、この複数のガイド面８６０ａ，８６０ｂの内、原稿先端ｄ１が突き当たる読取部側のガイド面８６０ａの傾斜角度θ１を読取後搬送ローラ側のガイド面８６０ｂの傾斜角度θ２より小さくした。【選択図】図９
2004037959.tif 000002
【特許請求の範囲】
【請求項１】
移動する原稿の画像を読み取る読取部と、この読取部の上流側に配置されて前記原稿を搬送する読取前搬送ローラと、前記読取部の下流側に配置されて読み取りの終了した前記原稿を搬送する読取後搬送ローラとを備える原稿搬送装置において、
前記読取部の下流側に前記原稿を案内して前記読取後搬送ローラに導く搬送ガイドを配置し、
この搬送ガイドは、原稿先端を案内する複数の異なる傾斜角度のガイド面を有し、この複数のガイド面の内、原稿先端が突き当たる読取部側のガイド面の傾斜角度を読取後搬送ローラ側のガイド面の傾斜角度より小さくしたことを特徴とする原稿搬送装置。
【請求項２】
移動する原稿の画像を読み取る読取部と、この読取部の上流側に配置されて前記原稿を搬送する一対の読取前搬送ローラと、前記読取部の下流側に配置されて読み取りの終了した前記原稿を搬送する一対の読取後搬送ローラとを備える原稿搬送装置において、
前記読取部の下流側に前記原稿を案内して前記読取後搬送ローラに導く搬送ガイドを配置し、
この搬送ガイドは、原稿を案内する複数の異なるＲ形状のガイド面を有し、この複数のガイド面の内、原稿先端が突き当たる読取部側のガイド面の曲率半径が読取後搬送ローラ側のガイド面の曲率半径より大きいことを特徴とする原稿搬送装置。
【請求項３】
移動する原稿の画像を読み取る読取部と、この読取部の上流側に配置されて前記原稿を搬送する読取前搬送ローラと、前記読取部の下流側に配置されて読み取りの終了した前記原稿を搬送する読取後搬送ローラとを備える原稿搬送装置において、
前記読取部に位置して前記読取後搬送ローラ側に延びる読取ガイドと、前記読取部の下流側に前記読取ガイドと対向して配置され前記原稿を案内して前記読取後搬送ローラに導く搬送ガイドとを有し、
前記読取ガイドと前記搬送ガイドとで前記原稿を搬送する通路が形成され、この通路は原稿先端が当接する読取部側の通路間隔より読取後搬送ローラ側の通路間隔を小さくしたことを特徴とする原稿搬送装置。
【請求項４】
前記請求項１乃至請求項３のいずれか１項に記載の原稿搬送装置を備えてなることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、原稿を搬送して画像読み込みを可能とする原稿搬送装置及び画像形成装置に関するものである。
【０００２】
【従来の技術】
このようなデジタル式の画像形成装置に備えられる原稿搬送装置では、給紙皿上に積載された原稿を１枚ずつ分離して搬送し、原稿の画像を読取部で読取可能なものがある。
【０００３】
このような原稿搬送装置では、図１２に示すように、読取部１００には、スリットガラス１０１が配置され、このスリットガラス１０１に対向する位置に搬送ガイド１０２が配置され、さらに搬送ガイド１０２に対向して読取前と読取後に搬送ガイド１０３，１０４が配置されている。
【０００４】
この読取部１００の上流側に配置される一対の読取前搬送ローラ１１０の駆動で、原稿ｄが搬送ガイド１０３に案内されて搬送し、読取部１００で移動する原稿ｄの画像を読み取る。読み取り後の原稿ｄの先端は搬送ガイド１０４に突き当たり、搬送ガイド１０４によって読取部１００の下流側に配置される一対の読取後搬送ローラ１１１に導かれる。
【０００５】
【発明が解決しようとする課題】
このような構成では、読取後に配置される搬送ガイド１０４は、ガイド面が斜面形状であるが、単一のＲ面形状である。このガイド面のＲ面形状は、省スペース化のためには、Ｒ面形状の曲率半径を小さくしなければならない。
【０００６】
ところで、Ｒ面形状の曲率半径を小さくすると、読み取り後の原稿ｄの先端が搬送ガイド１０４のガイド面に衝突したときの衝撃が大きくなり、結果画像不良が生じてしまう。
【０００７】
このような画像不良を防止するためには、ガイド面のＲ面形状の曲率半径を大きくすることが望ましいが、これでは原稿搬送装置自体が大きくなってしまう等の問題がある。
【０００８】
この発明は、かかる点に鑑みてなされたもので、原稿先端の衝撃を低減し、安定した原稿搬送を行ないつつ、装置の大型化を防止する原稿搬送装置及び画像形成装置を提供することを目的としている。
【０００９】
【課題を解決するための手段】
前記課題を解決し、かつ目的を達成するために、この発明は、以下のように構成した。
【００１０】
請求項１に記載の発明は、移動する原稿の画像を読み取る読取部と、この読取部の上流側に配置されて前記原稿を搬送する一対の読取前搬送ローラと、前記読取部の下流側に配置されて読み取りの終了した前記原稿を搬送する一対の読取後搬送ローラとを備える原稿搬送装置において、
前記読取部の下流側に前記原稿を案内して前記読取後搬送ローラに導く搬送ガイドを配置し、
この搬送ガイドは、原稿先端を案内する複数の異なる傾斜角度のガイド面を有し、この複数のガイド面の内、原稿先端が突き当たる読取部側のガイド面の傾斜角度を読取後搬送ローラ側のガイド面の傾斜角度より小さくしたことを特徴とする原稿搬送装置である。
【００１１】
この請求項１に記載の発明によれば、搬送ガイドのガイド面の内、原稿先端が突き当たる読取部側のガイド面の傾斜角度を読取後搬送ローラ側のガイド面の傾斜角度より小さくすることで、原稿先端の衝撃を低減し、安定した原稿搬送を行ないつつ、装置の大型化を防止することができる。
【００１２】
請求項２に記載の発明は、移動する原稿の画像を読み取る読取部と、この読取部の上流側に配置されて前記原稿を搬送する一対の読取前搬送ローラと、前記読取部の下流側に配置されて読み取りの終了した前記原稿を搬送する一対の読取後搬送ローラとを備える原稿搬送装置において、
前記読取部の下流側に前記原稿を案内して前記読取後搬送ローラに導く搬送ガイドを配置し、
この搬送ガイドは、原稿を案内する複数の異なるＲ形状のガイド面を有し、この複数のガイド面の内、原稿先端がが突き当たる読取部側のガイド面の曲率半径が読取後搬送ローラ側のガイド面の曲率半径より大きいことを特徴とする原稿搬送装置である。
【００１３】
この請求項２に記載の発明によれば、搬送ガイドのガイド面の内、原稿先端がが突き当たる読取部側のガイド面の曲率半径が読取後搬送ローラ側のガイド面の曲率半径より大きいことで、原稿先端の衝撃を低減し、安定した原稿搬送を行ないつつ、装置の大型化を防止することができる。
【００１４】
請求項３に記載の発明は、移動する原稿の画像を読み取る読取部と、この読取部の上流側に配置されて前記原稿を搬送する読取前搬送ローラと、前記読取部の下流側に配置されて読み取りの終了した前記原稿を搬送する読取後搬送ローラとを備える原稿搬送装置において、
前記読取部に位置して前記読取後搬送ローラ側に延びる読取ガイドと、前記読取部の下流側に前記読取ガイドと対向して配置され前記原稿を案内して前記読取後搬送ローラに導く搬送ガイドとを有し、
前記読取ガイドと前記搬送ガイドとで前記原稿を搬送する通路が形成され、この通路は原稿先端が当接する読取部側の通路間隔より読取後搬送ローラ側の通路間隔を小さくしたことを特徴とする原稿搬送装置である。
【００１５】
この請求項３に記載の発明によれば、読取ガイドと搬送ガイドとで原稿を搬送する通路が形成され、この通路は原稿先端が当接する読取部側の通路間隔より読取後搬送ローラ側の通路間隔を小さくすることで、原稿先端の衝撃を低減し、安定した原稿搬送を行ないつつ、装置の大型化を防止することができる。
【００１６】
請求項４に記載の発明は、前記請求項１乃至請求項３のいずれか１項に記載の原稿搬送装置を備えてなることを特徴とする画像形成装置である。
【００１７】
この請求項４に記載の発明によれば、前記請求項１乃至請求項３のいずれか１項に記載の原稿搬送装置を備え、原稿先端の衝撃を低減し、安定した原稿搬送を行ないつつ、装置の大型化を防止することができる。
【００１８】
【発明の実施の形態】
次に、この発明の原稿搬送装置を備えた画像形成装置の実施の形態を図面に基づいて説明するが、この発明は、この実施の形態に限定されない。
【００１９】
図１は用紙後処理装置ＦＳと原稿搬送装置ＤＦと画像読み取り装置（スキャナ）ＳＣとを装備した画像形成装置１の全体構成図である。
【００２０】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００２１】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００２２】
原稿搬送装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００２３】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００２４】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００２５】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００２６】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２７】
この垂直方向用紙搬送路▲１▼にほぼ平行して、再搬送手段９による用紙搬送路▲２▼が形成されている。
【００２８】
上記の垂直方向の用紙搬送路▲１▼、▲２▼を形成することにより、カセット給紙部６から排紙部８に至る最短距離の用紙搬送路が構成される。
【００２９】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００３０】
次に、図２乃至図７に基づいて原稿搬送装置を説明する。図２は原稿搬送装置の断面図、図３は原稿搬送装置の平面図、図４は原稿搬送装置の要部の拡大図、図５は切換部の拡大図、図６は片面通紙経路を示す図、図７は両面通紙経路を示す図である。
【００３１】
原稿搬送装置ＤＦには、原稿給紙部２００、原稿排紙部３００及び原稿搬送部４００が配置されている。
【００３２】
原稿給紙部２００は、原稿を複数枚セット可能な給紙皿２０１を有し、この給紙皿２０１に原稿の幅方向に位置決めを行なう一対の規制板２０２が幅方向に移動可能に設けられている。また、給紙皿２０１には、原稿の長さ方向を検知する長さ方向検知手段Ｓ１１，Ｓ１２を構成するセンサが２箇所に配置されている。
【００３３】
原稿排紙部３００は、排紙皿３０１を有し、この排紙皿３０１は原稿給紙部２００の下方位置に配置されている。排紙皿３０１上に、原稿搬送部４００で片面が読み取られるように搬送され、または両面が読み取られるように搬送された原稿が排紙される。
【００３４】
原稿搬送部４００は、上流側の第１搬送路４１０と、下流側に分岐した第２搬送路４２０及び第３搬送路４３０と、排出部４４０とを有している。第１搬送路４１０には、可動押圧板４１１、ピックアップローラ４１２、分離搬送ローラ４１３、重送防止ローラ４１４が配置されている。可動押圧板４１１は毎給紙時に上昇して原稿をピックアップローラ４１２に押し当て分離搬送ローラ４１３に原稿を押圧し、分離搬送ローラ４１３及び重送防止ローラ４１４により原稿が１枚ずつ分離して搬送される。また、分離搬送ローラ４１３及び重送防止ローラ４１４の下流側には、原稿長さ検知手段Ｓ２１を構成するセンサが配置されている。
【００３５】
第２搬送路４２０には、読取前搬送ローラ４２１、読取部４２２、読取ガイド８３１及び読取後搬送ローラ４２４が配置されている。読取前搬送ローラ４２１の下流側には原稿先端検知手段Ｓ３１を構成するセンサが配置されている。読取前搬送ローラ４２１、読取後搬送ローラ４２４は、原稿搬送方向に正回転可能である。
【００３６】
第３搬送路４３０には、搬送ローラ４３１及び反転部４３２が配置されている。反転部４３２は、反転ローラ４３３を有している。搬送ローラ４３１及び反転ローラ４３３は正逆回転可能である。排出部４４０には、排紙ローラ４４１が配置されている。
【００３７】
また、第１搬送路４１０には、第１搬送路４１０から下流側の第２搬送路４２０と第３搬送路４３０とに切り換え可能な第１切換部材４５０が備えられている。この第１切換部材４５０は、支持軸４５３と一体に回動可能に設けられている。支持軸４５３の一端部にはアーム４５３ａが設けられ、他端部にはアーム４５３ｂが設けられ、アーム４５３ａはバネ４５１により付勢され、第１切換部材４５０は第２搬送路４２０を開き、第３搬送路４３０を閉じるようになっている。また、アーム４５３ｂはソレノイド４５２によりバネ４５１に抗して作動し、ソレノイド４５２が作動すると第２搬送路４２０を閉じ、第３搬送路４３０を開くようになっている。
【００３８】
さらに、支持軸４５３には、一体に形成された第２切換部材４６０と第３切換部材４７０とが回動可能に軸支されている。第２切換部材４６０と第３切換部材４７０はバネ４７１により付勢され、第２切換部材４６０は第２搬送路４２０を開き、第３切換部材４７０が第３搬送路４３０を閉じるようになっている。
【００３９】
第２搬送路４２０には、第１搬送路４１０と第３搬送路４３０の両側から搬送を可能とする１方向に付勢された第２切換部材４６０が配置され、この第２切換部材４６０はバネ４７１により第１搬送路４１０からの搬送を許容し、第３搬送路４３０からの搬送を規制するように付勢されているが、第３搬送路４３０から原稿が搬送されると、この原稿の搬送によって自動的に開いて搬送可能である。
【００４０】
また、第３搬送路４３０には、第１搬送路４１０と第２搬送路４２０の両側から搬送を可能とする１方向に付勢された第３切換部材４７０が配置され、この第３切換部材４７０はバネ４７１により第１搬送路４１０からの搬送を規制し、第３搬送路４３０からの搬送を許容するように付勢されているが、第１搬送路４１０から原稿が搬送されると、この原稿の搬送によって自動的に開いて搬送可能である。
【００４１】
第１切換部材４５０、第２切換部材４６０及び第３切換部材４７０は、第１搬送路４１０、第２搬送路４２０、第３搬送路４３０の合流部に配置された同一軸の支持軸４５３を支点として開閉動作可能であり、１箇所で配置スペースの確保が容易で、小型化が可能である。
【００４２】
また、読取部４２２の下流側には、反転部４３２と排出部４４０とに切り換え可能な第４切換部材４９０が支持軸４９３と一体回転可能に備えられている。支持軸４９３の一端部にはアーム４９３ａが設けられ、他端部にはアーム４９３ｂが設けられ、アーム４９３ａはバネ４９１により付勢され、排出部４４０の入口４４０ａを開き、反転部４３２の入口４３２ａを閉じるようになっている。また、アーム４９３ｂはソレノイド４９２によりバネ４９１に抗して作動し、ソレノイド４９２が作動すると排出部４４０の入口４４０ａを閉じ、反転部４３２の入口４３２ａを開くようになっている。
【００４３】
この実施の形態で原稿ｄの片面の読み込みを行なう場合には、図６に示すように、原稿ｄの片面を読取部４２２で読み取り排紙する片面通紙経路Ｐ１を搬送する。
【００４４】
即ち、給紙皿２０１上に積載された原稿ｄを１枚ずつ分離して搬送し、第１切換部材４５０は第３搬送路４３０を閉じているから、原稿ｄは第１搬送路４１０から第２搬送路４２０に搬送され、読取部４２２で原稿ｄの片面を読み取りを行なう。この読み取りが行なわれた原稿ｄは、第４切換部材４９０が反転部４３２の入口４３２ａを閉じ、排出部４４０の入口４４０ａを開いているから、排出部４４０を通って排紙皿３０１上に排紙される。
【００４５】
原稿ｄの両面の読み込みを行なう場合には、図７に示すように、原稿ｄの片面を反転部４３２に導き反転して搬送し、読取部４２２で読み取り反転部４３２に導き、この反転部４３２で再度反転して搬送し、原稿ｄの他方の片面を読取部４２２で読み取り排紙する両面通紙経路Ｐ２を搬送する。
【００４６】
即ち、給紙皿２０１上に積載された原稿ｄを１枚ずつ分離して搬送し、ソレノイド４５２が作動して第１切換部材４５０は第３搬送路４３０を開いており、原稿ｄは第１搬送路４１０から第３搬送路４３０に搬送される。第３搬送路４３０に配置される第３切換部材４７０は、第３搬送路４３０を閉じているが、搬送される原稿ｄによって押されてバネ４７１に抗して開き、原稿ｄが通過すると閉じる。
【００４７】
この第３搬送路４３０では搬送ローラ４３１及び反転部４３２の反転ローラ４３３が正転して原稿ｄを搬入し、この搬送ローラ４３１及び反転ローラ４３３が逆転して原稿ｄをスイッチバックして搬送し、第２切換部材４６０及び第３切換部材４７０を介して第３搬送路４３０から第２搬送路４２０に搬送され、読取部４２２で原稿ｄの片面を読み取る。
【００４８】
この原稿ｄをスイッチバックして搬送する状態では、第２切換部材４６０及び第３切換部材４７０は、バネ４７１によって初期位置にあり、スイッチバックして搬送される原稿ｄは、第３切換部材４７０に案内されて第２切換部材４６０を押す。第２切換部材４６０は、搬送される原稿ｄによって押されてバネ４７１に抗して開き、原稿ｄが通過すると閉じる。
【００４９】
この読み取りが行なわれた原稿ｄは、ソレノイド４９２が作動して第４切換部材４９０が反転部４３２の入口４３２ａを開き、排出部４４０の入口４４０ａを閉じているから、反転部４３２の入口４３２ａを通って反転部４３２に送られる。そして、搬送ローラ４３１及び反転ローラ４３３が逆転して原稿ｄをスイッチバックして搬送し、第２切換部材４６０及び第３切換部材４７０を介して第３搬送路４３０から第２搬送路４２０に搬送され、読取部４２２で原稿ｄの他方の片面を読み取る。
【００５０】
この読み取りが行なわれた原稿ｄは、第４切換部材４９０が反転部４３２の入口４３２ａを閉じ、排出部４４０の入口４４０ａを開いているから、排出部４４０を通って排紙皿３０１上に排紙される。
【００５１】
この原稿ｄの片面と原稿ｄの両面とを読み取り可能な原稿搬送装置は、読取部４２２の上流かつ反転部４３２の下流に配置した一対のローラにて原稿先端を突き当てて揃える原稿レジスト機構Ａを有し、この原稿レジスト機構Ａは読取前搬送ローラ４２１で構成される。原稿レジスト機構Ａを読取部４２２の上流かつ反転部４３２の下流に配置し、この原稿レジスト機構Ａの一対のローラにて原稿先端を突き当てて揃えることで、原稿ｄの片面、両面とも曲がりの補正を１箇所で処理できる。
【００５２】
この原稿レジスト機構Ａにより原稿ｄを揃える時に生じる原稿ｄのループを許容するレジストループ形成空間ＳＰ１が片面通紙経路Ｐ１に形成され、レジストループ形成空間ＳＰ２が両面通紙経路Ｐ２に形成され、原稿レジスト機構Ａにより原稿を揃える時に生じる原稿ｄのループをレジストループ形成空間ＳＰ１，ＳＰ２で許容することで、原稿ｄの片面、両面共に確実な曲がり補正ができる。
【００５３】
また、原稿レジスト機構Ａの上流側に原稿位置検知手段Ｓ４１が配置され、片面通紙経路Ｐ１と両面通紙経路Ｐ２との合流点直後に、原稿の位置を検知する原稿位置検知手段Ｓ４１を配置することで、原稿ｄの片面、両面共に原稿ｄの位置を検知することができる。
【００５４】
この実施の形態では、読取部４２２の下流側が図８乃至図１１に示すように構成され、図８は読取部の拡大側面図、図９は第１の実施の形態の読取部の下流側を示し、図１０は第２の実施の形態の読取部の下流側を示し、図１１は第３の実施の形態の読取部の下流側を示す拡大図である。
【００５５】
この実施の形態の読取部４２２には、スリットガラス８３０が配置され、このスリットガラス８３０に対向して読取ガイド８３１が配置されている。
【００５６】
読取ガイド８３１は、樹脂で板状に一体形成され、中央部８３１ａが平面でスリットガラス８３０に対向している。読取ガイド８３１の前端部８３１ｂは、読取前搬送ローラ４２１の位置まで延びており、また読取ガイド８３１の後端部８３１ｃは、読取後搬送ローラ４２４の位置まで延びている。
【００５７】
この実施の形態では、読取ガイド８３１に対向して読取部４２２の搬送方向上流側に、搬送ガイド８５０が配置されている。この搬送ガイド８５０は、樹脂で板状に一体形成され、読取ガイド８３１と搬送ガイド８５０により原稿ｄを、読取前搬送ローラ４２１であるローラ４２１ａ，４２１ｂから読取部４２２まで案内する。
【００５８】
ローラ４２１ａが従動側ローラで、ローラ４２１ｂが駆動側ローラであり、一対の搬送ガイド８３１，８５０により一対のローラ４２１ａ，４２１ｂから読取部４２２までに曲率を有する搬送経路Ｐ５が形成され、この搬送経路Ｐ５により原稿ｄを搬送して読取部４２２で原稿の読み取りを行なう。
【００５９】
また、読取部４２２の下流側には、原稿ｄを案内して読取後搬送ローラ４２４に導く搬送ガイド８６０が配置されている。
【００６０】
図９の実施の形態の搬送ガイド８６０は、原稿先端ｄ１を案内する複数の異なる傾斜角度のガイド面８６０ａ，８６０ｂを有している。この複数のガイド面８６０ａ，８６０ｂの内、原稿先端ｄ１が突き当たる読取部側のガイド面８６０ａの傾斜角度θ１を読取後搬送ローラ側のガイド面８６０ｂの傾斜角度θ２より小さくしている。この読取部側のガイド面８６０ａの傾斜角度θ１及び読取後搬送ローラ側のガイド面８６０ｂの傾斜角度θ２は、原稿ｄが読取部４２２を移動し、その原稿先端ｄ１が読取部側のガイド面８６０ａに突き当たる方向に対する角度である。
【００６１】
このように、原稿先端ｄ１が突き当たる読取部側のガイド面８６０ａの傾斜角度θ１が小さいことから、原稿先端ｄ１が読取部側のガイド面８６０ａに突き当たるときの衝撃を低減し、安定した原稿搬送を行なうことができる。また、読取後搬送ローラ側のガイド面８６０ｂの傾斜角度θ２が大きいことから、読取後搬送ローラ４２４の配置位置が高くなるが読取部４２２に近付けて配置することができ、その分原稿搬送方向のスペースが少なくなるため装置の大型化を防止することが可能である。
【００６２】
図１０の実施の形態の搬送ガイド８６１は、原稿ｄを案内する複数の異なるＲ形状のガイド面８６１ａ，８６１ｂ，８６１ｃを有している。この複数のガイド面８６１ａ，８６１ｂ，８６１ｃの曲率半径Ｒ２，Ｒ１，Ｒ３は、Ｒ１＜Ｒ２、Ｒ１＞Ｒ３となっている。
【００６３】
このように、複数のガイド面８６１ａ，８６１ｂ，８６１ｃの内、原稿先端ｄ１がが突き当たる読取部側のガイド面８６１ａの曲率半径Ｒ２が読取後搬送ローラ側のガイド面８６１ｃの曲率半径Ｒ３より大きくなっている。
【００６４】
このように、搬送ガイド８６１のガイド面８６１ａ，８６１ｂ，８６１ｃの内、原稿先端ｄ１が突き当たる読取部側のガイド面８６１ａの曲率半径Ｒ２が大きいことから、原稿先端ｄ１が読取部側のガイド面８６１ａに突き当たるときの衝撃を低減し、安定した原稿搬送を行なうことができる。また、読取後搬送ローラ側のガイド面８６１ｃの曲率半径が小さいことから、読取後搬送ローラ４２４の配置位置が高くなるが読取部４２２に近付けて配置することができ、その分原稿搬送方向のスペースが少なくなるため装置の大型化を防止することが可能である。
【００６５】
図１１の実施の形態では、読取部４２２に位置して読取後搬送ローラ側に延びる読取ガイド８３１と、読取部４２２の下流側に読取ガイド８３１と対向して配置され原稿ｄを案内して読取後搬送ローラ側に導く搬送ガイド８６２とを有する。この読取ガイド８３１と搬送ガイド８６２とで原稿ｄを搬送する通路Ｄ１０が形成され、この通路Ｄ１０は原稿先端ｄ１が当接する読取部側の通路間隔Ｄ１１より読取後搬送ローラ側の通路間隔Ｄ１２を小さくしている。
【００６６】
この実施の形態では、搬送ガイド８６２を図９の実施の形態の搬送ガイド８６０と同様に構成しているが、図１０の実施の形態の搬送ガイド８６１と同様に構成して、原稿先端ｄ１が当接する読取部側の通路間隔Ｄ１１より読取後搬送ローラ側の通路間隔Ｄ１２を小さくしてもよい。
【００６７】
このように、搬送方向下流側の搬送ガイド８６２の頂点部付近の通路間隔Ｄ１２を小さくして狭めることで、これにより原稿先端ｄ１に与える衝撃を減少させ、通路間隔Ｄ１２内での原稿ｄの挙動を最小限にすることが可能となり、画像不良を防止しかつ、装置の大型化を防ぐことが可能となる。
【００６８】
また、本発明の実施の形態では、複写機に接続した原稿搬送装置を示したが、プリンタ、ファクシミリ等の画像形成装置や、これらの複数の機能を有する複合機及び軽印刷機等と接続して使用する原稿搬送装置にも適用可能である。
【００６９】
【発明の効果】
前記したように、請求項１に記載の発明では、搬送ガイドのガイド面の内、原稿先端が突き当たる読取部側のガイド面の傾斜角度を読取後搬送ローラ側のガイド面の傾斜角度より小さいことで、原稿先端の衝撃を低減し、安定した原稿搬送を行ないつつ、装置の大型化を防止することができる。
【００７０】
請求項２に記載の発明では、搬送ガイドのガイド面の内、原稿先端が突き当たる読取部側のガイド面の曲率半径が読取後搬送ローラ側のガイド面の曲率半径より大きいことで、原稿先端の衝撃を低減し、安定した原稿搬送を行ないつつ、装置の大型化を防止することができる。
【００７１】
請求項３に記載の発明では、読取ガイドと搬送ガイドとで原稿を搬送する通路が形成され、この通路は原稿先端が当接する読取部側の通路間隔より読取後搬送ローラ側の通路間隔を小さくすることで、原稿先端の衝撃を低減し、安定した原稿搬送を行ないつつ、装置の大型化を防止することができる。
【００７２】
請求項４に記載の発明では、前記請求項１乃至請求項３のいずれか１項に記載の原稿搬送装置を備え、原稿先端の衝撃を低減し、安定した原稿搬送を行ないつつ、装置の大型化を防止することができる。
【図面の簡単な説明】
【図１】用紙後処理装置と原稿搬送装置と画像読み取り装置を装備した画像形成装置の全体構成図である。
【図２】原稿搬送装置の断面図である。
【図３】原稿搬送装置の平面図である。
【図４】原稿搬送装置の要部の拡大図である。
【図５】切換部の拡大図である。
【図６】片面通紙経路を示す図である。
【図７】両面通紙経路を示す図である。
【図８】読取部の拡大側面図である。
【図９】第１の実施の形態の読取部の下流側を示図である。
【図１０】第２の実施の形態の読取部の下流側を示図である。
【図１１】第３の実施の形態の読取部の下流側を示す拡大図である。
【図１２】従来の読取部の拡大側面図である。
【符号の説明】
ＤＦ　原稿搬送装置
１　画像形成装置
１Ａ　画像形成装置本体
４００　原稿搬送部
４２１　読取前搬送ローラ
４２２　読取部
４２４　読取後搬送ローラ
８３１，８６０　搬送ガイド
８６０ａ，８６０ｂ　ガイド面
ｄ　原稿
ｄ１　原稿先端
【図１】
2004037959.tif 000003
【図２】
2004037959.tif 000004
【図３】
2004037959.tif 000005
【図４】
2004037959.tif 000006
【図５】
2004037959.tif 000007
【図６】
2004037959.tif 000008
【図７】
2004037959.tif 000009
【図８】
2004037959.tif 000010
【図９】
2004037959.tif 000011
【図１０】
2004037959.tif 000012
【図１１】
2004037959.tif 000013
【図１２】
2004037959.tif 000014